(57)【要約】【課題】飲み物を相手に上品に差し出すことの可能なポーションハンガーを提供する。【解決手段】ポーション容器支持部２０と、このポーション容器支持部２０に一体化されると共に、受け皿Ｐを挟むための２枚のプレート１１，１２を有するクリップ１０とを備えたものである。ポーション容器支持部２０は、フレッシュポーションＦを保持することの可能な形態であればいかなる形態であってもよく、例えば、ポーション容器を嵌め込むためのリング形状の支持部２０Ａを有しており、下から支えるようにしてフレッシュポーションＦを保持するようになっている。クリップ１０に接続されたポーション容器支持部２０によって、フレッシュポーションＦが保持される。【選択図】  図１
0003114982.tif 000002
【実用新案登録請求の範囲】
【請求項１】
ポーション容器支持部と、
このポーション容器支持部に一体化されると共に、受け皿を挟むための２枚のプレートを有する固定手段と
を備えたことを特徴とするポーションハンガー。
【請求項２】
前記ポーション容器支持部は、ポーション容器を嵌め込むためのリング形状の支持部を有する
ことを特徴とする請求項１に記載のポーションハンガー。
【請求項３】
前記ポーション容器支持部は、前記クリップに何も挟んでいない状態で前記２枚のプレートの他方を座部として水平面上に配置した場合に、前記ポーション容器支持部がポーション容器を所定の角度以下で保持できるように接続されている
ことを特徴とする請求項１または請求項２に記載のポーションハンガー。
【請求項４】
前記ポーション容器支持部は、前記ポーション容器支持部の接続されたプレートの表面と前記支持部を含む平面との交差角（鋭角）の値から、前記受け皿の傾斜角の値を減じた値が所定の角度以下となるように接続されている
ことを特徴とする請求項１または請求項２に記載のポーションハンガー。
【考案の詳細な説明】
【技術分野】
【０００１】
本発明は、フレッシュポーションを受け皿などに載置するためのポーションハンガーに関する。
【背景技術】
【０００２】
お店や、宴会場、会議室などで提供されるコーヒーや紅茶などの飲み物には、一般的にフレッシュ（ミルク）が添えられる。フレッシュは、近頃は、取り扱いが容易であるなどの観点から、プラスチック製のポーション容器などに密閉された状態で、シュガーと共に受け皿上に添えられることが多い。このようにフレッシュが密閉されたポーション容器は、一般にフレッシュポーションと称される。
【考案の開示】
【考案が解決しようとする課題】
【０００３】
このフレッシュポーションは、一般に蓋の部分が大きいため、コーヒーや紅茶などの飲み物を相手に差し出す際に受け皿上を転がる虞がある。そのため、飲み物を相手に上品に差し出すことが困難となるという問題がある。
【０００４】
本考案はかかる問題点に鑑みてなされたもので、その目的は、飲み物を相手に上品に差し出すことの可能なポーションハンガーを提供することにある。
【課題を解決するための手段】
【０００５】
本考案のポーションハンガーは、ポーション容器支持部と、このポーション容器支持部に一体化されると共に、受け皿を挟むための２枚のプレートを有する固定手段とを備えたものである。ここで、ポーション容器支持部は、フレッシュポーションを保持することの可能な形態であればいかなる形態であってもよく、例えば、ポーション容器を嵌め込むためのリング形状の支持部を有している。本考案のポーションハンガーでは、固定手段に接続されたポーション容器支持部によって、フレッシュポーションが保持される。
【考案の効果】
【０００６】
本考案のポーションハンガーによれば、固定手段に接続されたポーション容器支持部によってフレッシュポーションを保持するようにしたので、フレッシュポーションがコーヒーや紅茶などの飲み物を相手に差し出す際に受け皿上を転がる虞はない。これにより、飲み物を相手に上品に差し出すことが可能となる。
【考案を実施するための最良の形態】
【０００７】
以下、本考案の実施の形態について、図面を参照して詳細に説明する。
【０００８】
図１は、本考案の一実施の形態に係るポーションハンガー１の平面構成を表すものであり、図２は、このポーションハンガー１の側面構成を表すものである。図３は、ポーションハンガー１にフレッシュポーションＦを載置した様子を表すものであり、図４は、カップＣの置かれている受け皿Ｐにポーションハンガー１を固定すると共に、フレッシュＭの入ったフレッシュポーションＦをポーションハンガー１に載置した様子を表すものである。このポーションハンガー１は、クリップ１０（固定手段）と、ポーション容器支持部２０とを備えたものである。
【０００９】
クリップ１０は、相対向する２枚のプレート１１，１２の各中間位置に軸受け１１Ａ，１２Ｂを設け、これら軸受け１１Ａ，１２Ｂに挿通された軸１３につるまきバネ１４を介装させたものであり、このつるまきバネ１４によって、２枚のプレート１１，１２は常時は一端側の固定部１２Ｂ，１３Ｂが閉じ、他端側の把持部１１Ｃ，１２Ｃが開く方向に弾性的に付勢されている。すなわち、このクリップ１０では、把持部１１Ｃ，１２Ｃが掴まれると、つるまきバネ１４の付勢力に抗して固定部１２Ｂ，１３Ｂが開き、受け皿Ｐに固定できるようになっている。
【００１０】
ポーション容器支持部２０は、フレッシュポーションＦおよび使用済みのポーション容器（フレッシュポーションＦを開封して使用したのちに残ったポーション容器のこと）を嵌め込むための支持部２０Ａを有しており、下から支えるようにしてフレッシュポーションＦを保持するようになっている。支持部２０Ａは、例えば、鉄心をビニールなどで皮膜したリング形状のワイヤーにより構成されており、プレート１１に固定されている。なお、プレート１１への固定方法は、特に限定されないが、単に接着剤を用いてポーション容器支持部２０とプレート１１を接合するものであってもよいし、強度を確保するために、プレート１１に穴（図示せず）を開け、その穴にポーション容器支持部２０の一部を挿通した後に、接着剤を用いてプレート１１の裏側に突き出たポーション容器支持部２０の一部とプレート１１とを接合するものであってもよい。
【００１１】
また、ポーション容器支持部２０は、クリップ１０に何も挟んでいない状態でプレート１２を座部として水平面上に配置した場合に、式（１）に示したように、支持部２０ＡがフレッシュポーションＦの角度θ１を角度θ２以下で保持できるように接続されていることが好ましい。ここで、「角度θ２以下」とは、クリップ１０に何も挟まず、かつ支持部２０ＡにフレッシュポーションＦを保持させた状態でプレート１２を座部として水平面上に配置したときに、フレッシュポーションＦが支持部２０Ａから脱落することのない範囲内の角度のことである。
θ２≧θ１…（１）
【００１２】
ポーション容器支持部２０は、ポーション容器支持部２０の接続されたプレート１１の表面と支持部２０Ａを含む平面との交差角（鋭角）をθ３、受け皿Ｐの傾斜角をθ４とすると、式（２）に示したように、交差角θ３から傾斜角θ４を減じた角度Δθが角度θ５以下となるように接続されていることがより好ましい。ここで、「角度θ５以下」とは、クリップ１０に受け皿Ｐを挟み、かつ支持部２０ＡにフレッシュポーションＦを保持させた状態でフレッシュポーションＦが支持部２０Ａから脱落することのない範囲内の角度のことである。
θ５≧Δθ＝θ３−θ４…（２）
【００１３】
なお、クリップ１０に何も挟まない状態でプレート１２を座部として水平面上に配置した場合に、ポーション容器支持部２０の接続されたプレート１１の傾斜角θ６が受け皿Ｐの傾斜角θ４と等しいときは、上記した角度θ１と角度Δθは実質的に同一となる。
【００１４】
このように、本実施の形態のポーションハンガー１では、クリップ１０に接続されたポーション容器支持部２０によって、フレッシュポーションＦが保持されるので、フレッシュポーションＦがコーヒーや紅茶などの飲み物を相手に差し出す際に受け皿Ｐ上を転がる虞はない。これにより、飲み物を相手に上品に差し出すことが可能となる。
【００１５】
ところで、フレッシュポーションＦは、開封されて使用された後に受け皿Ｐ上に再び置かれることが多いが、このように使用済みのポーション容器には、概してフレッシュが残存しているものである。このため、使用済みのポーション容器が置かれた受け皿Ｐ上には、ポーション容器からこぼれ出たフレッシュが付着していることが多く、衛生的ではなく、非常に不潔であるという問題がある。
【００１６】
そこで、このような場合には、クリップ１０に受け皿Ｐを挟み、かつ支持部２０Ａに使用済みのポーション容器を保持させた状態で、角度Δθが使用済みのポーション容器の底部に残存しているフレッシュがこぼれない範囲内の角度となるようにポーション容器支持部２０とプレート１１とを接続することが好ましい。
【００１７】
なお、クリップ１０に何も挟まない状態でプレート１２を座部として水平面上に配置した場合に、ポーション容器支持部２０の接続されたプレート１１の傾斜角θ６が受け皿Ｐの傾斜角θ４と等しいときは、上記したように、角度θ１と角度Δθは実質的に同一となる。したがって、このような場合には、クリップ１０に何も挟まず、かつ支持部２０Ａに使用済みのポーション容器を保持させた状態でプレート１２を座部として水平面上に配置したときに、角度θ１が使用済みのポーション容器の底部に残存しているフレッシュがこぼれない範囲内の角度となるようにポーション容器支持部２０とプレート１１とを接続すれば、上記と同様の形態となる。
【００１８】
これにより、受け皿Ｐ上にフレッシュがこぼれ出る虞はなくなるので、衛生的で、清潔な状態を保つことが可能となる。また、受け皿Ｐをひっくり返すだけで使用済みのポーション容器をポーション容器支持部２０から取り外すことができるので、手を汚すことなく簡単に使用済みのポーション容器をごみ箱等に捨てることができる。
【００１９】
以上、上記実施の形態を挙げて本考案を説明したが、本考案は、これらに限定されず、種々の変形が可能である。
【図面の簡単な説明】
【００２０】
【図１】本考案の一実施の形態に係るポーションハンガーの平面図である。
【図２】図１のポーションハンガーの側面図である。
【図３】図１のポーションハンガーにフレッシュを載置した様子を表す側面図である。
【図４】図１のポーションハンガーの適用例を表す断面図である。
【符号の説明】
【００２１】
１…ポーションハンガー、１０…クリップ、１１，１２…プレート、１１Ａ，１２Ａ…軸受け、１１Ｂ，１２Ｂ…固定部、１１Ｃ，１２Ｃ…把持部、１３…軸、１４…つるまきバネ、２０…ポーション容器支持部、２０Ａ…支持部、θ１，θ２，Δθ…角度、θ３…交差角、θ４，θ５…傾斜角、Ｃ…カップ、Ｆ…フレッシュポーション、Ｍ…フレッシュ、Ｐ…受け皿。
【図１】
0003114982.tif 000003
【図２】
0003114982.tif 000004
【図３】
0003114982.tif 000005
【図４】
0003114982.tif 000006